(57)【特許請求の範囲】
【請求項１】
スピーカおよびディスプレイを備えた表示装置と、当該表示装置に接続され、音楽データを再生する再生機とからなる音楽データ再生システムであって、
上記再生機は、
上記音楽データを記憶したメモリと、
上記音楽データを処理することによって、所定の音声信号を生成する生成手段と、
上記音声信号を外部に出力する音声信号出力手段と、
上記ディスプレイにおける情報表示の停止を指示する指示信号を、外部に出力する出力手段とを備えており、
上記表示装置は、
外部から送信された信号またはデータを受信する受信手段と、
上記受信手段が上記音声信号を受信した場合、当該音声信号を上記スピーカに出力する音声信号出力手段と、
上記受信手段が上記指示信号を受信した場合、上記ディスプレイにおける情報の表示を停止させる停止手段とを備えており、さらに、
上記再生機は、
再生中の上記音楽データの再生を停止させる指示の入力を受け付ける入力手段と、
上記入力手段が上記指示を受け付けたとき、上記ディスプレイの電源オンを指示する電源オン指示信号を上記表示装置に出力する出力手段とを備え、
上記音声信号出力手段は、上記入力手段が上記指示を受け付けたとき、上記音声信号の出力を停止し、
上記表示装置は、
上記ディスプレイの電源がオフされているときに、上記受信手段が上記電源オン指示信号を受信した場合、上記ディスプレイの電源をオンする電源オン手段を備えていることを特徴とする音楽データ再生システム。
【請求項２】
ディスプレイを備えた表示装置と、スピーカを備えたオーディオ装置と、当該表示装置および当該オーディオ装置に接続され、音楽データを再生する再生機と、からなる音楽データ再生システムであって、
上記再生機は、
上記音楽データを記憶したメモリと、
上記音楽データから所定の音声信号を生成する生成手段と、
上記音声信号を外部に出力する音声信号出力手段と、
上記ディスプレイにおける情報表示の停止を指示する指示信号を、外部に出力する出力手段とを備えており、
上記オーディオ装置は、
上記音声信号を受信して上記スピーカに出力するアンプを備えており、
上記表示装置は、
外部から送信された信号またはデータを受信する受信手段と、
上記受信手段が上記指示信号を受信した場合、上記ディスプレイに対する情報の表示を停止させる表示手段とを備えており、さらに、
上記再生機は、
再生中の上記音楽データの再生を停止させる指示の入力を受け付ける入力手段と、
上記入力手段が上記指示を受け付けたとき、上記ディスプレイの電源オンを指示する電源オン指示信号を上記表示装置に出力する出力手段とを備え、
上記音声信号出力手段は、上記入力手段が上記指示を受け付けたとき、上記音声信号の出力を停止し、
上記表示装置は、
上記ディスプレイの電源がオフされているときに、上記受信手段が上記電源オン指示信号を受信した場合、上記ディスプレイの電源をオンする電源オン手段を備えていることを特徴とする音楽データ再生システム。
【請求項３】
上記再生機は、上記音楽データの再生開始後における、上記ディスプレイにおける情報表示の停止処理を、有効または無効のいずれかに設定する設定手段をさらに備えており、
上記出力手段は、設定手段によって、上記停止処理が有効に設定されている場合に上記指示信号を出力することを特徴とする請求項１または２に記載の音楽データ再生システム。
【請求項４】
上記表示装置は、
上記受信手段が上記指示信号を受信したあと、少なくとも上記ディスプレイの電源をオフする電源オフ手段をさらに備えていることを特徴とする請求項１〜３のいずれか１項に記載の音楽データ再生システム。
【請求項５】
上記メモリには、複数の互いに異なる音楽データが記憶されており、
上記再生機は、
上記複数の音楽データに関する情報の一覧表示の指示を受け付ける入力手段と、
上記入力手段が上記指示を受け付けたとき、一覧情報を表すリストデータを生成して上記表示装置に出力するリストデータ出力手段とをさらに備えており、
上記音声信号出力手段は、上記入力手段が上記指示を受け付けたとき、上記音声信号の出力を停止し、
上記表示装置は、
上記ディスプレイの電源がオフされているときに、上記受信手段が上記リストデータを受信した場合、上記ディスプレイの電源をオンする電源オン手段と、
上記受信手段が上記リストデータを受信した場合、当該リストデータが表す一覧情報を上記ディスプレイに表示する表示手段をさらに備えていることを特徴とする請求項１〜４のいずれか１項に記載の音楽データ再生システム。
【発明の詳細な説明】
【技術分野】
【０００１】
本発明は、音楽データを再生する再生機と、当該再生機と連携して動作する表示装置とを含んだ音楽データ再生システムに関する。
【背景技術】
【０００２】
近年、放送番組をデジタル録画するレコーダの開発が進み、多種多様のレコーダが発売されている。レコーダに録画した放送番組は、レコーダに接続されたテレビを通じて視聴する。かつては、レコーダとテレビとは全く連携していなかったため、ユーザは、レコーダの操作とテレビの操作とをそれぞれ別々に行っており、非常に手間であった。
【０００３】
しかし最近では、互いに接続したテレビとレコーダとを連携して動作させる技術が開発されている。この技術によると、テレビを操作した結果としてレコーダが自動的に制御され、その逆も可能である。
【０００４】
連携処理の一例として、レコーダの電源を入れるとテレビの電源を自動的にオンすると共に、テレビへの入力をレコーダからのものに自動的に切り替えるものがある。この技術を利用したシステムでは、ユーザは、いちいちテレビを操作する必要がない。
【０００５】
連携処理の他の例として、テレビにおいてユーザが「録画リストの表示」を選択したとき、レコーダの電源を自動的にオンする共に、テレビへの入力をレコーダからのものに切り替え、さらに、レコーダが録画リストの信号をテレビに出力して、テレビがそれを表示する、という多段階の連携処理を実現した技術も開発されている。
【０００６】
さらに他の例として、レコーダにおいて動画データを再生させると、この再生処理に連動して、テレビの電源は自動的にオンするか、あるいはすでにオンしている場合は、オン状態を継続する、といった連携処理も良く行われている。このような技術は、たとえば非特許文献１に開示されている。
【０００７】
また、近年では、レコーダにおいて記録したり再生したりするデジタルデータの種類も増加している。たとえば動画データだけではなく音楽データも再生できるレコーダが、販売されている。
【非特許文献１】”ビエラリンク”、［online］、平成16年10月24日、ＩＴ用語辞典-ｅ−Ｗｏｒｄｓ、［平成19年12月27日検索］、インターネット〈URL：http://e-words.jp/w/E38393E382A8E383A9E383AAE383B3E382AF.html〉
【発明の開示】
【発明が解決しようとする課題】
【０００８】
しかし、上記した従来のシステムは、主に動画データを処理することを前提に設計されている。そのため、動画データ以外のデータを処理する場合でも、動画データの場合と同様の連携処理を実行してしまう問題が生ずる。具体的には、レコーダにおいて音楽データを再生する場合であっても、テレビの電源をオンして、音楽データに関する情報を表示してしまう。通常、ユーザは、音楽データの再生中においては流れる音楽を聴くことに注力することが多く、テレビの画面表示は必要ではない。そのためユーザは、わざわざテレビの電源を落とす操作を自ら実行せざるを得ず、操作に手間を要してしまう。
【０００９】
本発明は、上記の問題点に鑑みてなされたものであり、その目的は、音楽データの再生中におけるユーザの操作の手間をより低減する音楽再生システムを提供することにある。
【課題を解決するための手段】
【００１０】
本発明に係る音楽データ再生システムは、上記の課題を解決するために、
スピーカおよびディスプレイを備えた表示装置と、当該表示装置に接続され、音楽データを再生する再生機とからなる音楽データ再生システムであって、
上記再生機は、
上記音楽データを記憶したメモリと、
上記音楽データを処理することによって、所定の音声信号を生成する生成手段と、
上記音声信号を外部に出力する音声信号出力手段と、
上記ディスプレイにおける情報表示の停止を指示する指示信号を、外部に出力する出力手段とを備えており、
上記表示装置は、
外部から送信された信号またはデータを受信する受信手段と、
上記受信受信手段が上記音声信号を受信した場合、当該音声信号を上記スピーカに出力する音声信号出力手段と、
上記受信手段が上記制御信号を受信した場合、上記ディスプレイにおける情報の表示を停止させる停止手段とを備えていることを特徴としている。
【００１１】
上記の構成によれば、音楽データ再生システムは、再生機および表示装置を備えている。表示装置は、スピーカおよびディスプレイを備えており、音声出力と動画表示の両方を実行する。一方、再生機は表示装置に接続されており、音楽データを再生する。より具体的には、再生機はさらにメモリを備えており、このメモリに音楽データを記憶している。再生機はメモリ内の音楽データを処理することによって、所定の音声信号を生成し、さらに表示装置に出力する。表示装置は受信した音声信号をスピーカに出力することによって、音楽を鳴らす。以上の処理によって、音楽データ再生システムは音楽データを再生する。
【００１２】
ここで、再生機は、ディスプレイにおける情報表示の停止を指示する指示信号を、表示装置に出力する。表示装置は、音声信号と共に当該指示信号も受信することによって、ディスプレイにおける情報の出力を停止させる。これにより、たとえばユーザが、ディスプレイに表示中のプレイリストの中から、再生させたい音楽データを選択したとすると、表示装置のスピーカを通じて音楽が鳴ると共に、ディスプレイにおけるプレイリストの表示が消えることになる。
【００１３】
したがってユーザは、音楽を聴いている間には見る必要の無いプレイリストの表示を消すために、自ら表示装置の電源をオフする操作を必要としない。これにより、音楽データの再生時におけるユーザの操作の手間を低減にできる効果を奏する。
【００１４】
本発明に係る音楽データ再生システムは、上記の課題を解決するために、
ディスプレイを備えた表示装置と、スピーカを備えたオーディオ装置と、当該表示装置および当該オーディオ装置に接続され、音楽データを再生する再生機と、からなる音楽データ再生システムであって、
上記再生機は、
上記音楽データを記憶したメモリと、
上記音楽データから所定の音声信号を生成する生成手段と、
上記音声信号を外部に出力する音声信号出力手段と、
上記ディスプレイにおける情報表示の停止を指示する制御信号を、外部に出力する出力手段とを備えており、
上記オーディオ装置は、
上記音声信号を受信して上記スピーカに出力するアンプを備えており、
上記表示装置は、
外部から送信された信号またはデータを受信する受信手段と、
上記受信手段が上記制御信号を受信した場合、上記ディスプレイに対する情報の表示を停止させる表示手段とを備えていることを特徴としている。
【００１５】
上記の構成によれば、音楽データ再生システムは、再生機、オーディオ装置、および表示装置を備えている。オーディオ装置はアンプおよびスピーカを備えており、音楽再生の機能を持つ。一方、表示装置はディスプレイを備えており、動画表示の機能を持つ。また、再生機はオーディオ装置および表示装置にそれぞれ接続されており、音楽データを再生する。より具体的には、再生機はさらにメモリを備えており、このメモリに音楽データを記憶している。ここで再生機は、メモリ内の音楽データを処理することによって、所定の音声信号を生成しオーディオ装置に出力する。オーディオ装置は受信した音声信号をアンプによって増幅してからスピーカに出力することによって、音楽を鳴らす。以上の処理によって、音楽データ再生システムは音楽データを再生する。
【００１６】
ここで、再生機は、ディスプレイにおける情報表示の停止を指示する指示信号を、表示装置に出力する。表示装置は当該指示信号を受信した場合、ディスプレイに対する情報の出力を停止させる。これにより、たとえばユーザが、ディスプレイに表示中のプレイリストの中から、再生させたい音楽データを選択したとすると、オーディオ装置のスピーカを通じて音楽が鳴ると共に、ディスプレイにおけるプレイリストの表示が消えることになる。
【００１７】
したがって、ユーザは、音楽を聴いている間には見る必要の無いプレイリストの表示を消すために、自ら表示装置の電源をオフする操作を必要としない。これにより、音楽データの再生時におけるユーザの操作の手間を低減できる効果を奏する。
【００１８】
また、本発明に係る音楽データ再生システムでは、さらに、
上記再生機は、上記音楽データの再生開始後における、上記ディスプレイにおける情報表示の停止処理を、有効または無効のいずれかに設定する設定手段をさらに備えており、
上記出力手段は、設定手段によって、上記停止処理が有効に設定されている場合に上記指示信号を出力することが好ましい。
【００１９】
上記の構成によれば、再生機は、音楽データの再生開始後における、ディスプレイにおける情報表示の停止処理を、有効または無効のいずれかに設定する。そして、当該停止処理が有効に設定されている場合に、ディスプレイに対する情報出力の停止を指示する指示信号を出力する。
【００２０】
したがって、当該設定を有効または無効に切り替えることによって、音楽データの再生中に何らかの情報を表示することとしないこととを選択的に実行できる。
【００２１】
また、本発明に係る音楽データ再生システムでは、さらに、
上記表示装置は、
上記受信手段が上記指示信号を受信したあと、少なくとも上記ディスプレイの電源をオフする電源オフ手段をさらに備えていることが好ましい。
【００２２】
上記の構成によれば、表示装置は、指示信号を受信したあと、少なくともディスプレイの電源をオフする。ディスプレイの電源のみならず、表示装置全体の電源をオフしてもよい。いずれにせよ、ディスプレイへの情報表示は確実に停止できる。したがってユーザは、ディスプレイの表示を消す操作や、表示装置の電源をオフする操作を自ら実行する必要が無いので、操作の手間が低減する。また、音楽データの再生中に表示装置の消費電力が低減するので、節電効果も得られる。
【００２３】
また、本発明に係る音楽データ再生システムでは、さらに、
上記再生機は、
再生中の上記音楽データの再生を停止させる指示の入力を受け付ける入力手段をさらに備え、
上記入力手段が上記指示を受け付けたとき、上記ディスプレイの電源オンを指示する電源オン指示信号を上記表示装置に出力する出力手段とをさらに備え、
上記音声信号出力手段は、上記入力手段が上記指示を受け付けたとき、上記音声信号の出力を停止し、
上記表示装置は、
上記ディスプレイの電源がオフされているときに、上記受信手段が上記電源オン指示信号を受信した場合、上記ディスプレイの電源をオンする電源オン手段をさらに備えていることが好ましい。
【００２４】
上記の構成によれば、再生機は、再生中の音楽データの再生を停止させる指示の入力を受け付けたとき、ディスプレイの電源オンを指示する電源オン指示信号を表示装置に出力する一方、音声信号の出力は停止させる。したがって、表示装置またはオーディオ装置は音声の出力を停止する。
【００２５】
表示装置は、ディスプレイの電源がオフされているときに、電源オン指示信号を受信した場合、ディスプレイの電源をオンする。これにより表示装置はディスプレイに情報を表示できるようになる。したがって、たとえば再生機から音楽データの一覧情報を示す映像信号を受信した場合、当該映像信号をディスプレイに出力することによって、音楽データの一覧情報をディスプレイに表示する。
【００２６】
以上の処理によって、ユーザは、音楽データの再生停止を指示したあと、たとえば次に再生させたい音楽データを選ぶために一覧情報を表示する場合、表示装置の電源を自らオンする必要が無い。したがって、ユーザの操作の手間をさらに低減できる。
【００２７】
また、本発明に係る音楽データ再生システムでは、さらに、
上記メモリには、複数の互いに異なる音楽データが記憶されており、
上記再生機は、
上記複数の音楽データに関する情報の一覧表示の指示を受け付ける入力手段と、
上記入力手段が上記指示を受け付けたとき、上記一覧情報を表すリストデータを生成して上記表示装置に出力するリストデータ出力手段とをさらに備えており、
上記音声信号出力手段は、上記入力手段が上記指示を受け付けたとき、上記音声信号の出力を停止し、
上記表示装置は、
上記ディスプレイの電源がオフされているときに、上記受信手段が上記リストデータを受信した場合、上記ディスプレイの電源をオンする電源オン手段と、
上記受信手段が上記リストデータを受信した場合、当該リストデータが表す一覧情報を上記ディスプレイに表示する表示手段をさらに備えていることが好ましい。
【００２８】
上記の構成によれば、再生機のメモリには、複数の互いに異なる音楽データが記憶されている。ここで、再生機は、これら複数の音楽データに関する情報の一覧表示の指示（プレイリスト表示の指示）を受け付けた場合、当該一覧情報を表すリストデータを生成して表示装置に出力する。一方、音声信号の出力は停止させる。したがって、表示装置またはオーディオ装置は音楽の出力を停止する。
【００２９】
一方、表示装置は、ディスプレイの電源がオフされているときに、リストデータを受信した場合、ディスプレイの電源をオンする。そして、リストデータが表す一覧情報をディスプレイに表示する。
【００３０】
以上の処理によって、ユーザは、一覧情報の表示を指示したとき、当該一覧情報をディスプレイに表示させるために、表示装置の電源を自らオンする必要が無い。したがって、ユーザの操作の手間をさらに低減できる。
【発明の効果】
【００３１】
以上のように、本発明に係る音楽再生システムは、音楽データの再生を開始したあと、ディスプレイに対する情報の表示を停止するため、音楽データの再生中におけるユーザの操作の手間を低減できる効果を奏する。
【発明を実施するための最良の形態】
【００３２】
本発明の一実施形態について、図１〜図９を参照して以下に説明する。
【００３３】
（音楽再生システム１の構成）
まず、本実施形態に係る音楽再生システム１の要部構成について、図１を参照して以下に説明する。図１は、本実施形態に係る音楽再生システム１の要部構成を示すブロック図である。この図に示すように、音楽再生システム１は、再生機２、表示装置３、およびオーディオ装置４を備えている。
【００３４】
再生機２は音楽データを再生する装置であり、たとえばハードディスクレコーダとして実現できる。再生機２の詳細構成については後述する。表示装置３は、図１に示すようにディスプレイ３１およびスピーカ３２，３３を備えている。スピーカ３２，３３はステレオスピーカであり、一方のスピーカが左または右チャンネルのいずれか一方の音声を出力し、もう一方のスピーカがもう一方のチャンネルの音声を出力する。
【００３５】
オーディオ装置４は、図１に示すように、アンプ４１およびスピーカ４２，４３を備えている。スピーカ４１，４２はステレオスピーカであり、一方のスピーカが左または右チャンネルのいずれか一方の音声を出力し、もう一方のスピーカがもう一方のチャンネルの音声を出力する。オーディオ装置４ではアンプ４１によって音声信号を増幅してからスピーカ４１，４２に出力するので、表示装置３に比べてより高品質の音声を出力する。
【００３６】
（再生機２の構成）
再生機２の要部構成について、図２を参照して以下に説明する。図２は、再生機２の要部構成を示すブロック図である。この図に示すように、再生機２は、信号出力部２１（音声信号出力手段、出力手段）、映像信号生成部２２、音声信号生成部２３（生成手段）、電源制御判定部２４、電源制御設定部２５（設定手段）、およびメモリ２６を備えている。これらの部材の役割については後述する。
【００３７】
（表示装置３の構成）
表示装置３の要部構成について、図３を参照して以下に説明する。図３は、表示装置３の要部構成を示すブロック図である。この図に示すように、表示装置３は、ディスプレイ３１、スピーカ３２，３３、信号出力部（停止手段）３４、電源制御部３５（電源オン手段、電源オフ手段）、および信号受信部（受信手段）３６を備えている。これらの部材の役割については後述する。
【００３８】
（画面遷移の一例）
以上の構成により、音楽再生システム１は音楽データを再生する。ここで、再生機２、表示装置３、およびオーディオ装置４は互いに連携して動作する。特に、音楽再生システム１では、音楽データの再生開始後、ディスプレイ３１における情報表示を停止させることに特徴がある。
【００３９】
この点について、音楽データの再生前後におけるディスプレイ３１の画面の遷移を例に挙げて説明する。図４は、表示装置３のディスプレイ３１に表示する画面の遷移を表す図であり、（ａ）は、ディスプレイ３１にライブ画面４１を表示している様子を示し、（ｂ）は、ディスプレイ３１にプレイリスト４２を表示している様子を示し、（ｃ）は、音楽データの再生を開始したあとディスプレイ３１が何も表示していない様子を示す。
【００４０】
再生機２はテレビの一種であり、放送番組を受信して再生する機能を有している。たとえば図４（ａ）では、再生機２は放送番組のライブ画面４１を表示している。このときユーザは、ライブ画面４１を見ながら放送番組の音声を耳にしている。
【００４１】
ここでユーザが、放送番組の視聴を中止し、再生機２内の音楽データを再生させることを決めたとする。このときユーザは、たとえば手元のリモコンを操作して、再生機２に対し、音楽データのプレイリストを表示させる指示を入力する。ここでいうプレイリストとは、メモリ２６に記憶されている複数の異なる音楽データのうち、ユーザの好みによって選択した各音楽データに関する情報（曲名、アーティスト名など）を一覧にしたデータのことである。図４（ｂ）の例では、表示装置３は、プレイリスト４２をディスプレイ３１に表示している。
【００４２】
ユーザは、プレイリスト４２に含まれる複数の情報の中から、聞きたい音楽についての音楽データを特定する情報４３を選択する。このとき選択された情報４３は、他の選択されていない情報と異なる表示状態によって表示される。なお、表示装置３は、プレイリストに限らず、アルバム情報をディスプレイ３１に表示してもよい。このアルバム情報もプレイリストと同様に、複数の異なる音楽データに関する情報を一覧にしたものである。ただし、これはＣＤ一枚分の音楽データの情報を表すものであり、含まれる内容がＣＤの販売者によって事前に決められている。
【００４３】
ユーザによる音楽データの選択が完了すると、再生機２は選択された音楽データを再生する。このとき、表示装置３のスピーカ３２，３３から、またはオーディオ装置４のスピーカ４２，４３の少なくともいずれかから、音楽を鳴らすことになる。このときの処理の詳細は後述する。
【００４４】
また、表示装置３は、ディスプレイ３１に対する情報の出力を停止する。このとき、表示装置３はディスプレイ３１の電源をオフしたり、または表示装置３の全体の電源をオフしたりする。あるいは、これらの電源はオンしたままにして、ディスプレイ３１に対する情報の出力を停止させることもできる。いずれにせよ、音楽データの再生が開始されたあと、図４（ｃ）に示すように、再生機２のディスプレイ３１には何も表示されなくなる。
【００４５】
これによりユーザは、音楽を聴いている間には見る必要の無いプレイリスト４２の表示を消すために、自ら表示装置２の電源をオフする操作を必要としない。このように音楽再生システム１では、音楽データの再生時におけるユーザの操作の手間をより低減できる。
【００４６】
（音楽データを再生する時の処理の流れ）
音楽再生システム１における音楽データの再生時の処理の流れについて、図５を参照してより詳しく説明する。図５は、音楽再生システム１における音楽データ再生時の処理の流れを示すフローチャートである。
【００４７】
この図に示すように、まず、ユーザは、ディスプレイ３１に表示されたプレイリスト４２の中から、聴きたい音楽データを１つ選択する（ステップＳ５１）。この選択処理によって、再生機２の音声信号生成部２３が、メモリ２６に記憶されている複数の音楽データの中から、選択された音楽データを読み出す。音声信号生成部２３は、読み出した音楽データを処理することによって、所定の音声信号を生成する。この音声信号は、たとえばＨＤＭＩ（High-Definition Multimedia Interface）の規格に従うものであればよい。音声信号生成部２３は、生成した音声信号を信号出力部２１に出力する。
【００４８】
信号出力部２１は、入力された音声信号を、表示装置３およびオーディオ装置４の少なくともいずれか出力する。表示装置３では、再生機２から出力されオーディオ装置４を経由した音声信号を信号受信部３６が受信し、信号出力部３４に出力する。信号出力部３４は、入力された音声信号をスピーカ３２，３３に出力する。これによりユーザは、音声信号が表す音楽をスピーカ３２，３３を通じて聴くことができる。一方オーディオ装置４では、出力された音声信号をアンプ４１が受信し、所定の増幅処理を施してからスピーカ４２，４３に出力する。これによりユーザは、音声信号が表す音楽をスピーカ４２，４３を通じて聴くことができる。以上のようにして、音楽再生システム１は、選択された音楽データを再生する（ステップＳ５２）。
【００４９】
つぎに再生機２の電源制御判定部２４が、表示装置３の電源を制御すべきか否かを判定する（ステップＳ５３）。ここでは、制御すべきと判定し、その判定結果を信号出力部２１に通知する。この通知を受けた信号出力部２１は、表示装置３の電源をオフさせることを指示する指示信号を、ＨＤＭＩの規格にしたがって生成し、上述した音声信号と共に表示装置３に出力する。この指示信号は、たとえばＣＥＣ（Consumer Electronics Control）信号であればよい。
【００５０】
表示装置３では、再生機２から出力された指示信号を信号受信部３６が受信し、電源制御部３５に出力する。電源制御部３５は、当該指示信号の入力を受けた場合、表示装置３の電源をオフする（ステップＳ５４）。これによりディスプレイ３１にはプレイリスト４２を含む一切の情報が表示されなくなる。
【００５１】
（電源制御有無の設定）
音楽再生システム１では、上述した電源制御を必ずしも常に実行する必要は無い。音楽再生システム１は、表示装置３の電源制御を、再生機２の電源制御設定部２５によって、当該電源制御を実行することの設定が有効にされているときに行う。設定が無効になっているときは行わない。なお、電源制御設定部２５は、電源制御の有効または無効の設定を、たとえばメモリ２６中のフラグの状態変更によって行う。また、電源制御の有効または無効を、ユーザの指示に基づき設定することもできる。
【００５２】
表示装置３の電源制御が無効になっている場合、音楽データの再生中において、表示装置３はディスプレイ３１に何らかの情報を表示することができる。たとえば、図４（ｂ）に示すように、プレイリスト４２を表示する。このとき、再生中の音楽データについての情報４３を、他の音楽データについての情報とは表示形態を異ならせて表示する。
【００５３】
一方、表示装置３は、図４（ｂ）に示すプレイリスト４２の代わりに、図６に示す各種の情報を音楽データの再生中に表示してもよい。図６は、音楽データの再生時にディスプレイ３１に表示する情報の一例を示す図であり、（ａ）は曲名６１を表示しているディスプレイ３１を示し、（ｂ）はカウンタ６２を表示しているディスプレイ３１を示す。図６（ａ）の例では、音楽再生システム１が音楽データを再生している間、表示装置３は、再生中の音楽データを特定する情報として曲名６１をディスプレイ３１に表示している。図６（ｂ）の例では、音楽再生システム１が音楽データを再生している間、表示装置３は、再生中の音楽データの再生時刻情報（カウンタ）６２を表示している。これらの表示を確認することによって、ユーザは、現在聴いている音楽についての情報を得ることができる。
【００５４】
図４（ｂ）、図６（ａ）、および図６（ｂ）に示す情報のうち、音楽データの再生中にどの情報を表示するのかは、再生機２においてあらかじめ設定されている。また、ユーザによる操作に基づき、これらの情報表示を互いに適宜切り替えることもできる。
【００５５】
（再生中の音楽データをスキップする時の処理の流れ）
音楽再生システム１では、音楽データの再生をスキップしたとき、表示装置３の電源は現在の状態をそのまま継続する。この例について、図７を参照して以下に説明する。図７は、音楽再生システム１において、再生中の音楽データをスキップする時の処理の流れを示すフローチャートである。
【００５６】
この図に示すように、ユーザが、再生中の音楽データのスキップを指示する（ステップＳ７１）。具体的には、手元のリモコンを操作して所定のスキップボタンを押下する。この押下によって、再生機２は、音楽データのスキップ処理を実行する（ステップＳ７２）。この処理の詳細は公知技術の範囲内なので、詳細な説明を省略する。
【００５７】
つぎに、再生機２の電源制御判定部２４が、表示装置３の電源を制御すべきか否かを判定する（ステップＳ７３）。ここでは制御しないと判定するので、図７の処理は終了する。したがって、表示装置３の電源がオフされているなら、そのオフ状態がそのまま継続し、次の音楽データが再生されることになる。
【００５８】
（再生中の音楽データを停止する時の処理の流れ）
一方、音楽再生システム１では、音楽データの再生を停止したとき、表示装置３の電源をオンする。この例について、図８を参照して以下に説明する。図８は、再生中の音楽データを停止する時の処理の流れを示すフローチャートである。
【００５９】
この図に示すように、ユーザが、再生中の音楽データの停止を指示する（ステップＳ７１）。具体的には、手元のリモコンを操作して所定の停止を押下する。この押下によって、再生機２は、音楽データの停止処理を実行する（ステップＳ７２）。具体的には、信号出力部２１が音声信号の外部への出力を停止する。これにより、表示装置３またはオーディオ装置４からの音声出力が停止する。
【００６０】
つぎに、再生機２の電源制御判定部２４が、表示装置３の電源を制御すべきか否かを判定する（ステップＳ７３）。ここでは制御すると判定し、判定結果を信号出力部２１に通知する。信号出力部２１は、表示装置３の電源をオンすることを指示する指示信号を、ＨＤＭＩ規格に従ったＣＥＣ信号として生成し、表示装置３に出力する。この指示信号はオーディオ装置４を経由して表示装置３に到達する。表示装置３では、出力された指示信号を信号受信部３６が受信する。信号受信部３６は、受信した指示信号を電源制御部３５に出力する。電源制御部３５は、入力された指示信号の指示内容に基づき、表示装置３の電源をオンする（ステップＳ７４）。
【００６１】
以上の処理によって、ユーザは、音楽データの再生停止を指示したあと、たとえば次に再生させたい音楽データを選ぶために一覧情報を表示する場合、表示装置３の電源を自らオンする必要が無い。したがって、ユーザの操作の手間をさらに低減できる。
【００６２】
（音楽データの再生中にプレイリストを表示する時の処理の流れ）
また、音楽再生システム１では、音楽データの再生中に、プレイリスト４２の表示指示があった場合、当該音楽データの再生を停止すると共に、表示装置３の電源をオンし、プレイリスト４２をディスプレイ３１に表示する。この例について、図９を参照して以下に説明する。図９は、音楽再生システム１において、音楽データの再生中にプレイリストを表示する時の処理の流れを示すフローチャートである。
【００６３】
この図に示すように、ユーザが、音楽データの再生中に、プレイリスト４２の表示を指示する（ステップＳ９１）。具体的には、手元のリモコンを操作して所定のプレイリストボタンを押下する。この押下によって、再生機２は、音楽データの停止処理を実行する（ステップＳ７２）。具体的には、信号出力部２１が、音声信号の出力を停止する。これにより、表示装置３またはオーディオ装置４からの音声出力が停止する。）
つぎに、再生機２の電源制御判定部２４が、表示装置３の電源を制御すべきか否かを判定する（ステップＳ９３）。ここでは、制御すると判定し、判定結果を信号出力部２１に通知する。信号出力部２１は、表示装置３の電源をオンすることを指示する指示信号を、表示装置３に出力する。表示装置３では、出力された指示信号を信号受信部３６が受信する。信号受信部３６は、受信した指示信号を電源制御部３５に出力する。電源制御部３５は、入力された指示信号の指示内容に基づき、表示装置３の電源をオンする（ステップＳ９４）。
【００６４】
つぎに、表示装置３の映像信号生成部２２が、メモリ２６に記憶されているプレイリストデータに基づき所定の映像信号を生成する。この映像信号は、たとえばＨＤＭＩの規格に従うものであればよい。映像信号生成部２２は、生成した映像信号を信号出力部２１に出力する。信号出力部２１は、入力された映像信号を上述した指示信号と共に表示装置３に出力する。なお、信号出力部２１は、プレイリストデータをそのまま表示装置３に送信してもよい。
【００６５】
表示装置３では、出力された映像信号を信号受信部３６が受信し、信号出力部３４に出力する。信号出力部３４は、入力された映像信号をディスプレイ３１に出力する。これにより再生機２は、映像信号が表すプレイリスト４２をディスプレイ３１に表示する。
【００６６】
以上の処理によって、ユーザは、プレイリスト４２の表示を指示したとき、表示装置３の電源を自らオンする必要が無い。したがって、ユーザの操作の手間をさらに低減できる。
【００６７】
なお、本発明は上述した実施形態に限定されるものではない。当業者は、請求項に示した範囲内において、本発明をいろいろと変更できる。すなわち、請求項に示される範囲内で、適宜変更された技術的手段を組み合わせれば、新たな実施形態が得られる。
【００６８】
たとえば再生機２と表示装置３との間でやり取りする各種の信号（電源オン／オフを制御する信号など）は、上述したＨＤＭＩの規格に従うＣＥＣ信号に限らず、ｉ．Ｌｉｎｋなどのほかのプロトコルに従うものであってもよい。
【００６９】
上述した「表示装置３の電源制御」は、あくまで「ディスプレイ３１における情報表示を停止する」ための一解決手段にすぎない。したがって、音楽再生システム１では、表示装置３全体の電源を制御する代わりに、ディスプレイ３１の電源のみを制御するようにしてもよい。このような電源の部分制御技術については、特開昭６３−１７７４４８２号公報に開示されている。
【００７０】
また、再生機２は、表示装置３の電源オフを指示する指示信号の代わりに、ディスプレイ３１における情報表示を停止することを指示する指示信号を表示装置３に出力してもよい。この場合、表示装置３は、後者の指示信号を受信したときに、信号出力部３４が音声信号のディスプレイ３１への出力を停止することによって、ディスプレイ３１における情報表示を停止する。このとき、表示すべき情報（ディスプレイ３１に出力する映像信号）は信号出力部２１が保持しているので、表示再開の指示を受けたときに、ディスプレイ３１に情報の表示をすばやく再開できる効果が得られる。
【００７１】
なお、表示装置３は、ディスプレイ３１における情報表示を停止することを指示する指示信号を受信したときに、ディスプレイ３１の電源または表示装置３全体の電源をオフしてもよい。この場合でも、やはり、ディスプレイ３１における情報表示を停止する効果が得られる。
【００７２】
また、再生機２は、「電源制御の設定」の代わりに「ディスプレイ３１における情報表示を停止についての設定」を行ってもよい。この場合、再生機２は、後者の設定が有効になっているときに、ディスプレイ３１における情報表示を停止することを指示する指示信号を表示装置３に出力する。
【００７３】
また、音楽再生システム１では、音楽データの再生中に、ユーザによって、音楽データの早送り、音楽データの早戻し、次の音楽データの選択、前の音楽データの選択、音楽データの一時停止、および音声ミュートの指示のいずれかが入力された場合も、表示装置３の電源を制御できる。具体的には、電源制御設定部２５による設定が有効のときに、これらの指示入力のいずれかがあった場合、入力内容ごとに予め定義されている制御（電源オンまたはオフ）を実行する。
【産業上の利用可能性】
【００７４】
本発明は、音楽データを再生する再生機と、表示装置とが連携して動作する音楽データシステムとして、幅広く利用できる。たとえばハードディスクレコーダとテレビが互いに接続された音楽再生システムとして実現できる。
【図面の簡単な説明】
【００７５】
【図１】本発明の一実施形態に係る音楽再生システムの要部構成を示すブロック図である。
【図２】再生機の要部構成を示すブロック図である。
【図３】表示装置の要部構成を示すブロック図である。
【図４】表示装置のディスプレイに表示する画面の遷移を表す図であり、（ａ）は、ディスプレイにライブ画面を表示している様子を示し、（ｂ）は、ディスプレイにプレイリストを表示している様子を示し、（ｃ）は、音楽データの再生を開始したあとディスプレイが何も表示していない様子を示す。
【図５】音楽再生システム１における音楽データ再生時の処理の流れを示すフローチャートである。
【図６】音楽データの再生時にディスプレイに表示する情報の一例を示す図であり、（ａ）は曲名を表示しているディスプレイを示し、（ｂ）はカウンタを表示しているディスプレイを示す。
【図７】音楽再生システムにおいて、再生中の音楽データをスキップする時の処理の流れを示すフローチャートである。
【図８】再生中の音楽データを停止する時の処理の流れを示すフローチャートである。
【図９】音楽再生システムにおいて、音楽データの再生中にプレイリストを表示する時の処理の流れを示すフローチャートである。
【符号の説明】
【００７６】
１    音楽再生システム
２    再生機
３    表示装置
４    オーディオ装置
２１  信号出力部（音声信号出力手段、出力手段）
２２  映像信号生成部
２３  音声信号生成部（生成手段）
２４  電源制御判定部
２５  電源制御設定部（設定手段）
２６  メモリ
３１  ディスプレイ
３２，３３  スピーカ
３４  信号出力部（停止手段）
３５  電源制御部（電源オン手段、電源オフ手段）
３６  信号受信部（受信手段）
４１アンプ
４２，４３スピーカ
【図１】
0005064253.tif 000002
【図２】
0005064253.tif 000003
【図３】
0005064253.tif 000004
【図４】
0005064253.tif 000005
【図５】
0005064253.tif 000006
【図６】
0005064253.tif 000007
【図７】
0005064253.tif 000008
【図８】
0005064253.tif 000009
【図９】
0005064253.tif 000010